(57)【要約】【課題】容易に必要な情報を得ることができ、さらに、検索時間を短縮することができる読影レポート検索装置を提供する。【解決手段】読影レポート検索装置９において、作成済の読影レポートが単語の組み合わせからなる最小意味単位で構造化されて変換されたレポート情報である最小意味単位の集合を格納する格納部９ｄと、作成中の読影レポートを最小意味単位で構造化し、最小意味単位の集合に変換する手段と、変換した作成中の読影レポートの最小意味単位の集合と、格納部９ｄに格納された作成済の読影レポートの最小意味単位の集合とを比較し、格納部９ｄから作成中の読影レポートに類似する作成済の読影レポートを検索する手段とを備える。【選択図】図２
2008253551.tif 000002
【特許請求の範囲】
【請求項１】
作成済の読影レポートが単語の組み合わせからなる最小意味単位で構造化されて変換されたレポート情報である前記最小意味単位の集合を格納する格納部と、
作成中の読影レポートを前記最小意味単位で構造化し、前記最小意味単位の集合に変換する手段と、
変換した前記作成中の読影レポートの前記最小意味単位の集合と、前記格納部に格納された前記作成済の読影レポートの前記最小意味単位の集合とを比較し、前記格納部から前記作成中の読影レポートに類似する前記作成済の読影レポートを検索する手段と、
を備えることを特徴とする読影レポート検索装置。
【請求項２】
前記作成済の読影レポートを前記最小意味単位で構造化し、前記最小意味単位の集合に変換する手段と、
変換した前記作成済の読影レポートの前記最小意味単位の集合を前記格納部に登録する手段と、
を備えることを特徴とする請求項１記載の読影レポート検索装置。
【請求項３】
前記検索する手段は、前記作成中の読影レポートに付帯する付帯情報に基づいて、前記格納部から前記作成中の読影レポートに類似する前記作成済の読影レポートを検索して絞り込み、絞り込んだ前記作成済の読影レポートの前記最小意味単位の集合と、変換した前記作成中の読影レポートの前記最小意味単位の集合とを比較し、絞り込んだ前記作成済の読影レポートから前記作成中の読影レポートに類似する前記作成済の読影レポートを検索することを特徴とする請求項１又は２記載の読影レポート検索装置。
【請求項４】
前記最小意味単位は、所見名、部位名及び確定度の単語の組み合わせにより構成されていることを特徴とする請求項１、２又は３記載の読影レポート検索装置。
【請求項５】
前記最小意味単位は、診断名、部位名及び確定度の単語の組み合わせにより構成されていることを特徴とする請求項１、２又は３記載の読影レポート検索装置。
【発明の詳細な説明】
【技術分野】
【０００１】
本発明は、医用画像に対する読影レポートを検索する読影レポート検索装置に関する。
【背景技術】
【０００２】
医用画像保管転送システム（ＰＡＣＳ）は、例えば、医用画像撮影装置、医用画像サーバ装置、読影レポート作成支援装置、読影レポートサーバ装置及びビューア装置等がＬＡＮ等のネットワークを介して接続され構築されている。なお、医用画像撮影装置としては、例えば、Ｘ線診断装置、Ｘ線ＣＴ装置（Ｘ線断層撮影装置）、ＭＲＩ装置（磁気共鳴撮影装置）、超音波診断装置及び核医学診断装置等が挙げられる。
【０００３】
通常、医用画像撮影装置により撮影された医用画像はネットワークを介して医用画像サーバ装置に送られて保存される。読影依頼を受けた読影医は、医用画像サーバ装置に保存された読影対象の医用画像を表示装置により表示し、読影レポート作成支援装置を用いてその医用画像に対する読影レポートを作成する。完成した作成済の読影レポートは読影レポートサーバ装置に送られ、テキストデータで保存される。
【０００４】
ここで、読影レポート作成支援装置は、患者等の被検体の医用画像に対する読影レポートの作成を支援する装置であり、その読影レポートを作成する読影医等の作成者により用いられる（例えば、特許文献１参照）。この読影レポート作成支援装置としては、読影レポートサーバ装置に格納された過去の読影レポート（過去レポート）から、現在作成中の読影レポートに類似する過去レポートを検索する読影レポート検索装置として機能する読影レポート作成支援装置も提案されている。このとき、検索したい単語や診断名（病名）等が入力され、その単語や診断名等に基づいて過去レポートが検索される。
【特許文献１】特公平４−２０３５０号公報
【発明の開示】
【発明が解決しようとする課題】
【０００５】
しかしながら、読影レポートのデータはテキストデータで保存されているため、単語で検索する場合には、ヒット率が悪く、必要な情報を抽出することが困難であり、加えて検索時間も長くなってしまう。また、診断名等で検索する場合でも、検索対象となる読影レポートが膨大であるため、必要な情報を抽出することが困難であり、加えて検索時間も長くなってしまう。
【０００６】
本発明は、上記に鑑みてなされたものであり、その目的は、容易に必要な情報を得ることができ、さらに、検索時間を短縮することができる読影レポート検索装置を提供することである。
【課題を解決するための手段】
【０００７】
本発明の実施の形態に係る特徴は、読影レポート検索装置において、作成済の読影レポートが単語の組み合わせからなる最小意味単位で構造化されて変換されたレポート情報である最小意味単位の集合を格納する格納部と、作成中の読影レポートを最小意味単位で構造化し、最小意味単位の集合に変換する手段と、変換した作成中の読影レポートの最小意味単位の集合と、格納部に格納された作成済の読影レポートの最小意味単位の集合とを比較し、格納部から作成中の読影レポートに類似する作成済の読影レポートを検索する手段とを備えることである。
【発明の効果】
【０００８】
本発明によれば、容易に必要な情報を得ることができ、さらに、検索時間を短縮することができる。
【発明を実施するための最良の形態】
【０００９】
本発明の実施の一形態について図面を参照して説明する。
【００１０】
図１に示すように、本発明の実施の形態に係る医用画像保管転送システム１は、患者等の被検体から医用画像を撮影する医用画像撮影装置としてのＸ線ＣＴ装置（Ｘ線断層撮影装置）２及びＭＲＩ装置（磁気共鳴撮影装置）３と、医用画像を保存する医用画像サーバ装置４と、医用画像に対する読影レポートを保存する読影レポートサーバ装置５と、医用画像及び読影レポート等の画像を表示する診察用のビューア装置６と、医用画像等の画像を表示する読影用のビューア装置７と、医用画像に対する読影レポートの作成を支援する読影レポート作成支援装置８と、参照用の過去の読影レポート（過去レポート）を検索する読影レポート検索装置９とにより構成されている。これらの装置２〜９は、ＬＡＮ（Local Area Network）等のネットワーク１０を介して接続されており、相互に通信可能に形成されている。
【００１１】
Ｘ線ＣＴ装置２及びＭＲＩ装置３は、それぞれ被検体の部位の医用画像を撮影するモダリティである。これらのＸ線ＣＴ装置２及びＭＲＩ装置３は、それぞれ撮影した医用画像の画像データを医用画像サーバ装置４に送信する。
【００１２】
医用画像サーバ装置４は、Ｘ線ＣＴ装置２及びＭＲＩ装置３から送信された画像データ及びその画像データに付帯する付帯情報を適宜保管し、さらに、ビューア装置６、７の要求に応じてそのビューア装置６、７に画像データを提供する。なお、医用画像サーバ装置４は、医用画像に対する経時差分、統合（Ｆｕｓｉｏｎ）、断面変換（ＭＰＲ）、３Ｄ表示変換及び付帯情報管理等の機能を有している。また、医用画像サーバ装置４は、画像データを保管する場合、その画像データに付帯する付帯情報を読影レポートサーバ装置５に送信する。
【００１３】
ここで、付帯情報は、患者情報や検査情報等を含んでいる。患者情報としては、例えば患者ＩＤ、患者名、性別、年齢、投薬履歴、家族歴、病歴及び嗜好暦等が挙げられる。また、検査情報としては、例えば、ＣＴやＭＲ等の検査名（検査種別）、検査部位、検査日、担当医、血液検査情報、心電図情報及び病理検査情報等が挙げられる。
【００１４】
読影レポートサーバ装置５は、医用画像サーバ装置４から付帯情報を受け取り、その付帯情報を含む作成前（入力前）の読影レポート（所見入力欄や診断入力欄等が空白状態である読影レポート）をレポート番号に関連付けて保存し、さらに、読影レポート作成支援装置８の要求に応じてその読影レポート作成支援装置８に作成前の読影レポートを提供する。また、読影レポートサーバ装置５は、読影医により作成された作成済（入力済）の読影レポートを適宜保管し、さらに、ビューア装置６の要求に応じてそのビューア装置６に作成済の読影レポートを提供する。
【００１５】
ビューア装置６は、医用画像サーバ装置４に保管された医用画像や読影レポートサーバ装置５に保管された作成済の読影レポート等の画像を表示する装置である。このビューア装置６は例えば病院内の診察室に設置されており、患者の担当医等に医用画像や読影レポートを提供する。これにより、担当医は医用画像及び読影レポートを閲覧することができる。
【００１６】
ビューア装置７は、医用画像サーバ装置４に保管された医用画像等の画像を表示する装置である。このビューア装置７は例えば病院内の読影室に設置されており、読影レポートを作成する読影医等の作成者に医用画像を提供する。これにより、作成者は読影対象の医用画像を閲覧することができる。
【００１７】
読影レポート作成支援装置８は、読影レポートサーバ装置５に保管された作成前の読影レポートに対する作成作業を支援する装置である。この読影レポート作成支援装置８は例えば病院内の読影室にビューア装置７と並べて設置されており、作成者が読影レポートを作成する場合の作成作業を支援する。
【００１８】
このような読影レポート作成支援装置８は、作成者（利用者）からの入力操作を受け付ける入力部、及び読影レポートを表示するレポート表示部（いずれも図示せず）を備えている。入力部は、読影医等の作成者により入力操作される操作部であり、作成者により読影レポートを作成する際に用いられる。この入力部としては、例えば、マウスやキーボード等の入力デバイスを用いる。また、レポート表示部は、作成用の読影レポート及び参照用の過去レポート等の読影レポートを表示する表示装置である。このレポート表示部としては、例えば、液晶ディスプレイやＣＲＴ（Cathode Ray Tube）ディスプレイ等を用いる。
【００１９】
ここで、作成者はビューア装置７に表示された医用画像を閲覧しながら、読影レポート作成支援装置８を用いてその読影対象である医用画像に対する読影レポートを作成する。完成した作成済の読影レポートは読影レポートサーバ装置５及び読影レポート検索装置９に送信される。また、作成中（入力中）の読影レポートも、入力部に対する作成者の入力操作、例えば検索キーの押下に応じて、読影レポート検索装置９に送信される。
【００２０】
読影レポート検索装置９は、作成中の読影レポートの受信に応じて、読影レポートサーバ装置５に保管された作成済の複数の読影レポート（過去レポート）から、受信した作成中の読影レポートに類似する過去レポートを検索し、ヒットした（見つけた）過去レポートを読影レポート作成支援装置８に知らせる。これに応じて、読影レポート作成支援装置８は、ヒットした過去レポートを読影レポートサーバ装置５から取得し、その過去レポートをレポート表示部に表示する。これにより、読影医等の作成者は、レポート表示部に表示された過去レポートを参照しながら、読影レポートに所見等の文章を入力し、作成中の読影レポートを完成させる。
【００２１】
次いで、読影レポート検索装置９について詳しく説明する。
【００２２】
図２に示すように、読影レポート検索装置９は、各部を制御するマイクロプロセッサ等の制御部９ａと、各種のプログラムやデータを記憶するＲＯＭやＲＡＭ、フラッシュメモリ等の記憶部９ｂと、外部装置とネットワーク１０を介して通信を行う通信部９ｃと、各種のデータベースを有する格納部９ｄとを備えている。これらの各部９ａ〜９ｄはバス９ｅにより電気的に接続されている。
【００２３】
制御部９ａは、記憶部９ｂに記憶された各種のプログラムやデータ等に基づいて各部を制御する。また、制御部９ａは各種のプログラムに基づいて各種データの計算又は加工等を行う一連のデータ処理等を実行する。
【００２４】
この制御部９ａは、作成済の読影レポート（過去レポート）や作成中の読影レポートを構造化する構造化処理部１１、作成中の読影レポートの付帯情報と過去レポートの付帯情報とを比較する付帯情報比較処理部１２及び作成中の読影レポートと過去レポートとの類似度を算出する類似度算出処理部１３等を具備している。
【００２５】
記憶部９ｂは、制御部９ａが実行する起動プログラム等の各種のプログラムを記憶するメモリであって、さらに、制御部９ａのワークエリアとしても機能するメモリである。なお、起動プログラムは、読影レポート検索装置９の起動時に制御部９ａにより読み出されて実行される。
【００２６】
通信部９ｃは、ＬＡＮ等のネットワーク１０を介して外部装置との通信を行う通信インターフェースである。この外部装置としては、読影レポートサーバ装置５や読影レポート作成支援装置８等が挙げられる。
【００２７】
格納部９ｄは、構造化処理部１１の構造化に用いる構造化ルールを規定する構造化用辞書データベース２１、作成済の読影レポートの付帯情報を過去レポートの付帯情報として保存する付帯情報保存データベース２２、及び構造化処理部１１により構造化された作成済の読影レポートを過去レポートとして保存する構造化過去レポート保存データベース２３を具備している。この格納部９ｄとしては、例えば、ハードディスクドライブ等の記憶装置を用いる。
【００２８】
構造化処理部１１は、構造化用辞書データベース２１を参照し、受信した作成済の読影レポートをテキストマイニング技術により最小意味単位で構造化し、最小意味単位の集合に変換する。すなわち、この最小意味単位の集合は、作成済の読影レポートが最小意味単位で構造化されて変換されたレポート情報である。さらに、構造化処理部１１は、前述と同様に、受信した作成中の読影レポートに対してもテキストマイニングを行い、作成中の読影レポートを最小意味単位で構造化し、最小意味単位の集合に変換する。すなわち、この最小意味単位の集合は、作成中の読影レポートが最小意味単位で構造化されて変換されたレポート情報である。
【００２９】
ここで、最小意味単位は、複数の単語の組み合わせにより構成されている。この最小意味単位としては、例えば、所見に関する所見記述の最小意味単位と、診断に関する最小意味単位との２種類が挙げられる。所見記述の最小意味単位は、所見名、部位名及び確定度の単語の組み合わせにより構成されている（所見記述の最小意味単位＝「所見名、部位名、確定度」）。また、診断記述の最小意味単位は、診断名、部位名及び確定度の単語の組み合わせにより構成されている（診断記述の最小意味単位＝「診断名、部位名、確定度」）。なお、所見名としては、例えば、陰影や集積、圧迫等が挙げられる。診断名としては、例えば、癌や癌転移等の病名が挙げられる。部位名としては、例えば、左肺や右肺、心臓、肝臓等が挙げられる。
【００３０】
例えば、所見名が「陰影」であり、部位名が「左肺」であり、確定度が「ある」である場合には（「陰影、左肺、ある」）、その所見記述の最小意味単位は「陰影が左肺にある」ということを意味する。加えて、所見名が「集積」であり、部位名が「骨」であり、確定度が「ある」である場合には（「集積、骨、ある」）、その所見記述の最小意味単位は「集積が骨にある」ということを意味する。また、診断名が「癌」であり、部位名が「左肺」であり、確定度が「ある」である場合には（「癌、左肺、ある」）、その診断記述の最小意味単位は「癌が左肺にある」ということを意味する。さらに、診断名が「癌転移」であり、部位名が「右肺」であり、確定度が「ない」である場合には、その診断記述の最小意味単位は、「癌転移が右肺にない」ということを意味する。
【００３１】
このような最小意味単位に基づいて、作成済の読影レポート及び作成中の読影レポートは構造化処理部１１により構造化され、最小意味単位の集合に変換される。特に、作成済の読影レポートの最小意味単位の集合は、図３に示すように、レポートＩＤに関連付けて過去レポートとして構造化過去レポート保存データベース２３に順次格納されていく。
【００３２】
ここで、図３に示すように、レポートＩＤが「０００１」である過去レポートは、「所見Ａ、部位Ａ、ある」＋「診断Ａ、部位Ａ、ある」等の最小意味単位の集合に変換されている。レポートＩＤが「０００２」である過去レポートは、「所見Ｂ、部位Ｂ、ある」＋「所見Ｃ、部位Ｃ、ある」＋「診断Ｂ、部位Ｂ、なし」等の最小意味単位の集合に変換されている。レポートＩＤが「０００３」である過去レポートは、「所見Ｄ、部位Ａ、なし」＋「診断Ｃ、部位Ａ、なし」等の最小意味単位の集合に変換されている。
【００３３】
付帯情報比較処理部１２は、作成中の読影レポートに付帯する付帯情報に基づいて、構造化過去レポート保存データベース２３から作成中の読影レポートに類似する過去レポートを抽出して絞り込む。詳述すると、付帯情報比較処理部１２は、作成中の読影レポートの付帯情報と付帯情報保存データベース２２に格納された付帯情報とを比較し、付帯情報保存データベース２２から作成中の読影レポートの付帯情報に関連する付帯情報を選択し、選択した付帯情報に対応する過去レポートを構造化過去レポート保存データベース２３から抽出する。
【００３４】
類似度算出処理部１３は、作成中の読影レポートの最小意味単位の集合と、構造化過去レポート保存データベース２３に格納された過去レポートの最小意味単位の集合とを比較し、構造化過去レポート保存データベース２３から作成中の読影レポートに類似する過去レポート、すなわち類似度が高い過去レポートを検索する。詳述すると、類似度算出処理部１３は、最小意味単位における単語の組み合わせ、最小意味単位の組み合わせ、最小意味単位の順序等から、作成中の読影レポートの最小意味単位の集合と、構造化過去レポート保存データベース２３に格納された過去レポートの最小意味単位の集合とを比較し、作成中の読影レポートと過去レポートとの類似度を算出し、類似度が高い過去レポートのレポートＩＤを取得する。なお、付帯情報比較処理部１２による絞り込みが行われた場合には、絞り込んだ過去レポートの最小意味単位の集合と、作成中の読影レポートの最小意味単位の集合とを比較し、絞り込んだ過去レポートと作成中の読影レポートとの類似度を算出し、類似度が高い過去レポートのレポートＩＤを取得する。
【００３５】
次に、前述の読影レポート検索装置９の読影レポート検索動作について説明する。読影レポート検索装置９の制御部９ａが読影レポート検索処理を実行する。
【００３６】
図４に示すように、制御部９ａは、作成中の読影レポートを受信したか否かを判断し（ステップＳ１）、作成中の読影レポートの受信に待機する（ステップＳ１のＮＯ）。作成中の読影レポートは、読影レポート作成支援装置８からネットワーク１０を介して送信される。例えば、読影医等の作成者が読影レポートの作成途中で作成中の読影レポートに類似する過去レポートを参照したい場合等に、読影レポート作成支援装置８の入力部を入力操作することに応じて、作成中の読影レポートが送信される。
【００３７】
通常、読影レポートの作成を行う場合には、作成者は、読影レポート作成支援装置８の入力部を入力操作してレポートＩＤリスト等からレポートＩＤを選択する。これに応じて、読影レポート作成支援装置８は、選択されたレポートＩＤに対応する作成前の読影レポートを読影レポートサーバ装置５から取得し、その読影レポートをレポート表示部に表示する。加えて、読影用のビューア装置７は、選択されたレポートＩＤに対応する画像データを医用画像サーバ装置４から取得し、その医用画像を表示する。その後、作成者はその読影対象の医用画像を閲覧しながら、読影レポート作成支援装置８の入力部を入力操作して読影レポートを作成する。このとき、作成者は、作成中の読影レポートに類似する過去レポートを参照したい場合等に、読影レポート作成支援装置８の入力部を入力操作し、例えば検索キー等を押下する。これに応じて、読影レポート作成支援装置８は、作成中の読影レポートを読影レポート検索装置９に送信する。
【００３８】
作成中の読影レポートを受信したと判断した場合には（ステップＳ１のＹＥＳ）、その作成中の読影レポートを構造化処理部１１により構造化し、最小意味単位の集合に変換する（ステップＳ２）。このとき、制御部９ａは構造化処理部１１により、構造化用辞書データベース２１を参照し、受信した作成中の読影レポートをテキストマイニング技術により最小意味単位で構造化し、最小意味単位の集合に変換する。
【００３９】
次いで、制御部９ａは、絞り込みキーが押下されているか否かを判断する（ステップＳ３）。この絞り込みキーは、読影レポート作成支援装置８の入力部に設けられている。絞り込みキーが押下されている場合には、その旨を報知する報知信号が作成中の読影レポートの送信に加えられ、読影レポート作成支援装置８から読影レポート検索装置９に送信される。読影レポート検索装置９はその報知信号を受信し、絞り込みキーが押下されていることを検出する。
【００４０】
絞り込みキーが押下されていると判断した場合には（ステップＳ３のＹＥＳ）、付帯情報比較処理部１２により、作成中の読影レポートに付帯する付帯情報に関連する付帯情報を付帯情報保存データベース２２から選択し、選択した付帯情報に対応する過去レポートを構造化過去レポート保存データベース２３から抽出する（ステップＳ４）。一方、絞り込みキーが押下されていないと判断した場合には（ステップＳ３のＮＯ）、そのまま処理を進める。
【００４１】
次いで、制御部９ａは、作成中の読影レポートと過去レポートとを最小意味単位で比較し、作成中の読影レポートと過去レポートとの類似度を算出する（ステップＳ５）。なお、ステップＳ４により絞り込みが行われた場合には、類似度算出処理部１３により、最小意味単位における単語の組み合わせ、最小意味単位の組み合わせ、最小意味単位の順序等から、作成中の読影レポートの最小意味単位の集合と、絞り込んだ過去レポートの最小意味単位の集合とを比較し、作成中の読影レポートと絞り込んだ過去レポートとの類似度を算出する。一方、絞り込みが行われなかった場合には、類似度算出処理部１３により、最小意味単位における単語の組み合わせ、最小意味単位の組み合わせ、最小意味単位の順序等から、作成中の読影レポートの最小意味単位の集合と、構造化過去レポート保存データベース２３に格納された過去レポートの最小意味単位の集合とを比較し、作成中の読影レポートと過去レポートとの類似度を算出する。
【００４２】
その後、制御部９ａは、類似度が高い順番に所定数の過去レポートをリスト化し、そのリストＲを読影レポート作成支援装置８に送信し（ステップＳ６）、処理を終了する。このとき、図５に示すように、類似度が高い順番に所定数（例えば、５個）の過去レポートを示すリストＲが生成される。読影レポート作成支援装置８は、そのリストＲを受信してレポート表示部に表示する。これにより、読影レポート作成支援装置８のレポート表示部には、リストＲが表示される。作成者がそのリストＲから希望の過去レポートを選択すると、その過去レポートが読影レポートサーバ装置５から取得され、レポート表示部に表示される。作成者は、レポート表示部に表示された過去レポートを参照しながら、必要な情報を取得し、作成中の読影レポートを完成させる。
【００４３】
以上説明したように、本発明の実施の形態によれば、作成中の読影レポートを最小意味単位で構造化して最小意味単位の集合に変換し、変換した作成中の読影レポートの最小意味単位の集合と、構造化過去レポート保存データベース２３に格納された過去レポート（作成済の読影レポート）の最小意味単位の集合とを比較し、構造化過去レポート保存データベース２３から作成中の読影レポートに類似する過去レポートを検索することによって、類似過去レポートの参照や引用を容易かつ迅速に行うことが可能になるので、容易に必要な情報を得ることができ、さらに、検索時間を短縮することができる。また、容易かつ迅速に類似過去レポートを抽出することが可能になるので、症例検討会等のために資料収集を容易に行うことができる。
【００４４】
加えて、作成済の読影レポートを最小意味単位で構造化し、最小意味単位の集合に変換し、変換した作成済の読影レポートの最小意味単位の集合を構造化過去レポート保存データベース２３に登録することによって、完成した作成済の読影レポートの最小意味単位の集合を構造化過去レポート保存データベース２３に順次保存することができる。
【００４５】
さらに、作成中の読影レポートに付帯する付帯情報に基づいて、構造化過去レポート保存データベース２３から作成中の読影レポートに類似する過去レポートを検索して絞り込み、絞り込んだ過去レポートの最小意味単位の集合と、変換した作成中の読影レポートの最小意味単位の集合とを比較し、絞り込んだ過去レポートから作成中の読影レポートに類似する過去レポートを検索することによって、絞り込みにより検索対象の過去レポート数が減少するので、検索時間をより短縮することができる。
【００４６】
また、最小意味単位は、所見名、部位名及び確定度の単語の組み合わせにより構成されており、あるいは、診断名、部位名及び確定度の単語の組み合わせにより構成されていることから、作成中及び作成済の読影レポートを正確かつ迅速に構造化することが可能になるので、作成中及び作成済の読影レポートを最小意味単位の集合に正確に変換することができ、さらに、変換する変換時間を短縮することができる。
【００４７】
（他の実施の形態）
なお、本発明は、前述の実施の形態に限るものではなく、その要旨を逸脱しない範囲において種々変更可能である。
【００４８】
例えば、前述の実施の形態においては、読影レポート検索装置９を単独に設けているが、これに限るものではなく、読影レポート作成支援装置８に読影レポート検索装置９を組み込んで適用するようにしてもよい。
【００４９】
また、前述の実施の形態においては、所見記述の最小意味単位を、所見名、部位名及び確定度の単語の組み合わせにより構成しており、診断記述の最小意味単位を、診断名、部位名及び確定度の単語の組み合わせにより構成しているが、これに限るものではなく、例えば、３つの単語に他の単語を加えてもよく、その単語数は複数であればよい。
【００５０】
さらに、前述の実施の形態においては、ステップＳ４で絞り込み処理を付帯情報に基づいて行っているが、これに限るものではなく、例えば、作成者が単語等を自由に入力した情報であるフリー入力情報に基づいて絞り込み処理を行うようにしてもよい。
【００５１】
最後に、前述の実施の形態においては、ステップＳ４で絞り込み処理を行っているが、これに限るものではなく、例えば、ステップＳ６で、作成中の読影レポートの付帯情報に基づいて、所定数の過去レポートから必要な過去レポートをさらに絞り込む絞り込み処理を行うようにしてもよい。
【図面の簡単な説明】
【００５２】
【図１】本発明の実施の一形態に係る医用画像保管転送システムの概略構成を示すブロック図である。
【図２】図１に示す医用画像保管転送システムが備える読影レポート検索装置の概略構成を示すブロック図である。
【図３】図２に示す読影レポート検索装置が備える構造化過去レポート保存データベースに格納される構造化過去レポートテーブルを説明するための説明図である。
【図４】図２に示す読影レポート検索装置が行う読影レポート検索動作の流れを説明するフローチャートである。
【図５】図４に示す読影レポート検索動作に応じて形成されるリストの一例を説明するための説明図である。
【符号の説明】
【００５３】
９        読影レポート検索装置
９ｄ      格納部
【図１】
2008253551.tif 000003
【図２】
2008253551.tif 000004
【図３】
2008253551.tif 000005
【図４】
2008253551.tif 000006
【図５】
2008253551.tif 000007